(57)【特許請求の範囲】
【請求項１】
医療・介護従事者を呼び出す用件ごとの操作指示を受け付ける操作部、及び受け付けられた操作指示を通知する通知部を有する用件受付端末と、
前記用件受付端末からの通知を受信する受信手段と、
通知された前記操作指示に対応する複数の用件の通知順を記憶する記憶手段と、
通知された前記操作指示に対応する用件を報知する報知手段と、
前記記憶手段に記憶された前記複数の用件の通知順を、用件ごとに予め設定された優先順位をもとに並び替えるとともに、当該優先順位が最上位以外の用件の通知順を、前記用件ごとに用件にかかる位置が予め設定された位置情報をもとに、前記用件にかかる全ての位置を経由した場合の移動距離がより短くなる並び順に並び替えるスケジューリング手段と、
を備え、
前記報知手段は、前記記憶手段に記憶された通知順に従って報知することを特徴とするナースコールシステム。
【請求項２】
前記報知手段は、前記複数の用件を表示部に一覧表示して報知すること、
を特徴とする請求項１に記載のナースコールシステム。
【請求項３】
医療・介護従事者を呼び出す用件ごとの操作指示を受け付け、受け付けられた操作指示を通知する用件受付端末からの通知を受信する受信手段と、
通知された前記操作指示に対応する複数の用件の通知順を記憶する記憶手段と、
通知された前記操作指示に対応する用件を報知する報知手段と、
前記記憶手段に記憶された前記複数の用件の通知順を、用件ごとに予め設定された優先順位をもとに並び替えるとともに、当該優先順位が最上位以外の用件の通知順を、前記用件ごとに用件にかかる位置が予め設定された位置情報をもとに、前記用件にかかる全ての位置を経由した場合の移動距離がより短くなる並び順に並び替えるスケジューリング手段と、
を備え、
前記報知手段は、前記記憶手段に記憶された通知順に従って報知することを特徴とする報知端末。
【発明の詳細な説明】
【技術分野】
【０００１】
本発明の実施形態は、ナースコールシステム及び報知端末に関する。
【背景技術】
【０００２】
従来、医療現場においては、患者のベッドに設けられた呼び出しボタンの操作に応じて、ナースステーション等に設けられた端末装置で患者からの呼び出しを医師や看護師等（以下、医療・介護従事者と呼ぶ）に報知するナースコールシステムが用いられている。
【発明の概要】
【発明が解決しようとする課題】
【０００３】
しかしながら、上述した従来のナースコールシステムでは、患者がどのような用件で医療・介護従事者の呼び出しを行なったのか分からなかった。このため、医療・介護従事者は、患者からの呼び出しが行われた場合に患者のベッドまで用件を確認する必要があり、介護等の作業に取り掛かるのに不便であった。
【課題を解決するための手段】
【０００４】
上述した課題を解決するために、本発明の一実施形態は、医療・介護従事者を呼び出す用件ごとの操作指示を受け付ける操作部、及び受け付けられた操作指示を通知する通知部を有する用件受付端末と、前記用件受付端末からの通知を受信する受信手段と、通知された前記操作指示に対応する複数の用件の通知順を記憶する記憶手段と、通知された前記操作指示に対応する用件を報知する報知手段と、前記記憶手段に記憶された前記複数の用件の通知順を、用件ごとに予め設定された優先順位をもとに並び替えるとともに、当該優先順位が最上位以外の用件の通知順を、前記用件ごとに用件にかかる位置が予め設定された位置情報をもとに、前記用件にかかる全ての位置を経由した場合の移動距離がより短くなる並び順に並び替えるスケジューリング手段と、を備え、前記報知手段は、前記記憶手段に記憶された通知順に従って報知することを特徴とするナースコールシステムである。
【０００５】
また、本発明の別の実施形態は、医療・介護従事者を呼び出す用件ごとの操作指示を受け付け、受け付けられた操作指示を通知する用件受付端末からの通知を受信する受信手段と、通知された前記操作指示に対応する複数の用件の通知順を記憶する記憶手段と、通知された前記操作指示に対応する用件を報知する報知手段と、前記記憶手段に記憶された前記複数の用件の通知順を、用件ごとに予め設定された優先順位をもとに並び替えるとともに、当該優先順位が最上位以外の用件の通知順を、前記用件ごとに用件にかかる位置が予め設定された位置情報をもとに、前記用件にかかる全ての位置を経由した場合の移動距離がより短くなる並び順に並び替えるスケジューリング手段と、を備え、前記報知手段は、前記記憶手段に記憶された通知順に従って報知することを特徴とする報知端末である。
【図面の簡単な説明】
【０００６】
【図１】図１は、実施形態にかかるナースコールシステムの構成を示すブロック図である。
【図２】図２は、端末装置の外観を示す正面外観図である。
【図３】図３は、用件ごとの操作指示を行う表示画面の表示例を示す概念図である。
【図４】図４は、報知画面の表示例を示す概念図である。
【発明を実施するための形態】
【０００７】
以下に添付図面を参照して、実施形態にかかるナースコールシステム及び報知端末の詳細を説明する。
【０００８】
図１は、実施形態にかかるナースコールシステム１００の構成を示すブロック図である。図１に示すように、ナースコールシステム１００は、患者側の端末装置１ａ、医療・介護従事者側の端末装置１ｂ、サーバ装置２を備える構成である。ナースコールシステム１００において、端末装置１ａ、１ｂ、及びサーバ装置２は、無線又は有線のＬＡＮ（Local  Area  Network）などの通信ネットワーク（図示しない）により互いに通信可能に接続されている。
【０００９】
端末装置１ａは、患者ごとに備えられ、例えば患者のベッド（図示しない）に設置される情報端末である。この患者ごとの端末装置１ａは、通信を行う際のＭＡＣアドレスなど、端末ごとにユニークに割り当てられた識別情報と、患者ごとにユニークに割り当てられた患者ＩＤとを関連付けてサーバ装置２で管理されている。したがって、端末装置１ａから通信があった場合、サーバ装置２は、端末ごとの識別情報を参照することで、どの患者の端末装置１ａから通信があったかを判別可能である。
【００１０】
端末装置１ｂは、医療・介護従事者が常駐するナースステーションなどに設置される情報端末である。なお、本実施形態において、端末装置１ｂは、ナースステーションに設置されるものとするが、端末装置１ａと同様に医療・介護従事者ごとに備えられてもよい。
【００１１】
また、端末装置１ａと端末装置１ｂとは、操作部１０、表示部１１、通信部１２の他、ＣＰＵ（Central  Processing  Unit）、ＲＯＭ（Read  Only  Memory）、ＲＡＭ（Random  Access  Memory）、ＨＤＤ（Hard  Disk  Drive）など（いずれも図示しない）を備えた略同一構成の情報端末である。したがって、端末装置１ａと端末装置１ｂとを特に区別しない場合は、端末装置１として説明する。
【００１２】
操作部１０は、タッチパネル１０ａ、操作ボタン１０ｂなどであり（図２参照）、ユーザの操作を受け付ける。表示部１１はＬＣＤ（Liquid  Crystal  Display）などであり、ＣＰＵの制御の下で画面表示を行う。通信部１２は、無線又は有線のＬＡＮなどの通信ネットワークと接続するための通信インタフェースである。通信部１２は、ＣＰＵの制御の下、所定の通信プロトコルで通信ネットワークを介したデータ通信を行う。
【００１３】
図２は、端末装置１の外観を示す正面外観図である。図２に示すように、端末装置１の筐体１３には、正面に表示部１１が設けられている。表示部１１には、上面に重畳してタッチパネル１０ａが設けられている。また、表示部１１の下には操作ボタン１０ｂが設けられている。したがって、ユーザは、表示部１１に表示された画面を確認しながらタッチパネル１０ａでのタッチ操作や操作ボタン１０ｂの押下操作によって、端末装置１への操作指示を行うことができる。
【００１４】
患者側の端末装置１ａでは、ＣＰＵがＲＯＭやＨＤＤに記憶されたプログラムをＲＡＭの作業領域に展開して順次実行することで、医療・介護従事者を呼び出す用件ごとの操作指示を操作部１０で受け付け、受け付けられた操作指示を通信部１２よりサーバ装置２へ通知する機能を有している。医療・介護従事者を呼び出す用件としては、容態の急変などを知らせる「緊急」の他、食事の後片付け、シーツ替え、着替え、トイレ補助などの一般的な業務を依頼する「一般」などがある。
【００１５】
端末装置１ａでは、ＣＰＵの制御の下、表示部１１に上述した用件を受け付けるための表示画面を表示させ、操作部１０から受け付けた操作に応じた用件を通信部１２よりサーバ装置２へ通知する。
【００１６】
図３は、用件ごとの操作指示を行う表示画面の表示例を示す概念図である。図３に示すように、表示部１１には、用件を受け付けるための表示画面Ｇ１に「緊急」の用件を受け付ける操作ボタンＧ１０と、「一般」の用件を受け付ける操作ボタンＧ１２とが表示される。患者は、操作ボタンＧ１０、Ｇ１２のタッチ操作をタッチパネル１０ａより行うことで、「緊急」又は「一般」の用件の通知（ナースコール）を行うことができる。
【００１７】
なお、操作ボタンＧ１２のタッチ操作により「一般」の用件が選択された場合、表示部１１には、「食事済」、「シーツ替え」、「トイレ」、「着替え」などの用件の詳細を通知するための操作ボタンＧ２０〜Ｇ２３を有する表示画面Ｇ２が表示される。患者は、操作ボタンＧ２０〜Ｇ２３のタッチ操作をタッチパネル１０ａより行うことで、「食事済」、「シーツ替え」、「トイレ」、「着替え」などの詳細の通知を行うことができる。
【００１８】
サーバ装置２は、ナースコールシステム１００における端末装置１ａ、１ｂの情報を統括するための情報機器である。具体的には、サーバ装置２は、ＣＰＵ、ＲＯＭ、ＲＡＭ、ＨＤＤ、通信インタフェースなど（いずれも図示しない）を備えたＰＣ（Personal  Computer）などであってよい。サーバ装置２は、ＣＰＵがＲＯＭやＨＤＤに記憶されたプログラムをＲＡＭの作業領域に展開して順次実行することで、通信部２０、記憶部２１、スケジューリング部２２、報知部２３としての機能を有している。
【００１９】
通信部２０は、ＣＰＵの制御の下、所定の通信プロトコルで通信ネットワークを介したデータ通信を行う。記憶部２１は、ＨＤＤなどであって、プログラムや各種設定情報の他、ナースコールＤＢ２１０、位置情報２１１などを記憶する。
【００２０】
ナースコールＤＢ２１０は、端末装置１ａより通知されたナースコールを記憶するデータベース（ＤＢ）である。ナースコールＤＢ２１０は、端末装置１ａより通知された一件のナースコールを一レコードとして、複数のナースコールを記憶している。具体的には、端末装置１ａからナースコールがあった場合、サーバ装置２では、ＣＰＵの制御の下、ナースコールがあった端末装置１ａの識別情報をもとにナースコールを行った患者を特定し、特定した患者の患者ＩＤや病室番号などとともに、ナースコールがあった用件とその日時とをナースコールＤＢ２１０の一レコードに記憶する。したがって、サーバ装置２では、ナースコールＤＢ２１０のレコードに含まれる日時を確認することで、ナースコールの通知順を確認できる。なお、端末装置１ａより通知されたナースコールは、通知された順にナースコールＤＢ２１０にスタックされる構成であってもよい。
【００２１】
位置情報２１１は、ナースコールにおける用件ごとの、その用件にかかる位置の情報を記憶するデータファイルである。用件にかかる位置とは、その用件を処理する際に立ち寄る必要がある場所を示す。所定の用件のナースコールによって呼び出された医療・介護従事者は、患者の病室へ赴くだけでなく、その用件の処理に必要な薬品や備品を受け取りに倉庫などの所定の場所へ立ち寄ることがある。例えば、食器を片付ける「食事済」の用件の場合は、患者の病室へ赴いた後に配膳室などに食器を運ぶ必要がある。したがって、「食事済」の用件には、患者の病室と、配膳室とが用件にかかる位置の情報として位置情報２１１に記憶されている。サーバ装置２では、位置情報２１１を確認することで、用件にかかる位置の情報からナースコールによって一つの用件を処理するまでの移動距離を算出できる。
【００２２】
スケジューリング部２２は、ナースコールＤＢ２１０に記憶されている複数のナースコールを、用件ごとに予め設定された優先順位をもとに並び替える。この用件ごとの優先順位は、用件を示すコードなどと順位を示す数字とがＲＯＭなどに予め設定されている。医療・介護従事者を呼び出す用件には、緊急を要する場合とそうでない場合とで優先順位がある。例えば「緊急」又は「一般」では「緊急」の方が優先順位が高い。また、「一般」においては、「トイレ」、「着替え」、「シーツ替え」、「食事済」の順に優先順位がある。したがって、スケジューリング部２２は、ナースコールＤＢ２１０に記憶されている複数のナースコールの用件が「トイレ」、「着替え」、「緊急」である場合、「緊急」、「トイレ」、「着替え」の順に並び替える。
【００２３】
また、スケジューリング部２２は、位置情報２１１をもとに、ナースコールＤＢ２１０に記憶されている複数のナースコールの用件にかかる全ての位置を経由した場合の移動距離がより短くなる並び順に並び替える。例えば、患者の病室と、配膳室とが用件にかかる位置である「食事済」のナースコールと、配膳室に近い病室からのナースコールと、配膳室から遠くにある病室からのナースコールとがナースコールＤＢ２１０に記憶されているものとする。この複数のナースコールの並べ替えでは、「食事済」のナースコールの次に配膳室から遠くにある病室からのナースコールを並べる場合よりも移動距離が短くなる、「食事済」のナースコールの次に配膳室に近い病室からのナースコールを並べる並び順とする。なお、上述したスケジューリング部２２が並び替えた順位は、ナースコールＤＢ２１０に記憶される。
【００２４】
報知部２３は、ナースコールＤＢ２１０に記憶されているナースコールの報知を行う。具体的には、報知部２３は、ナースコールＤＢ２１０に記憶されているナースコールのレコード（患者ＩＤ、患者の病室、用件、日時など）を読み出して、患者ＩＤに対応する患者氏名や、患者の病室、用件などの報知を行う情報を生成し、通信部２０より端末装置１ｂへ通知する。
【００２５】
なお、報知部２３は、ナースコールＤＢ２１０に複数のナースコールが記憶されている場合は通知順を確認し、通知順に報知を行う。また、スケジューリング部２２により並び替えられた順位がナースコールＤＢ２１０に記憶されている場合は、その並び替えられた順位に従って報知を行う。具体的には、報知部２３は、ナースコールＤＢ２１０に記憶されているナースコールのレコードを順次読み出して、通知順や並び替えられた順位順に患者ＩＤに対応する患者氏名や、患者の病室、用件などの報知を行う情報を生成し、通信部２０より端末装置１ｂへ通知する。
【００２６】
端末装置１ｂでは、ＣＰＵの制御の下、通知された情報を通信部１２で受信し、その受信した情報を報知画面として表示部１１に表示して医療・介護従事者に報知する。なお、報知部２３の報知は、自装置に設けられたＬＣＤ等の表示装置（図示しない）へ報知画面を表示して行ってもよい。
【００２７】
図４は、報知画面の表示例を示す概念図である。図４に示すように、端末装置１ｂの表示部１１の報知画面Ｇ３には、報知部２３からの通知された情報として、ナースコールがあった患者の病室、患者名、用件などが表示される。したがって、医療・介護従事者は、患者がどのような用件でナースコールを行ったのかを、患者のベッドまで伺うこと無く確認することができ、容易に介護等の作業に取り掛かることができる。また、報知画面Ｇ３には患者からのナースコールが一覧表示されることから、医療・介護従事者は、複数のナースコールの状況を把握することができる。
【００２８】
また、報知画面Ｇ３において、患者からのナースコールの一覧は、ナースコールの通知順や、優先順位が高い順に表示される。したがって、医療・介護従事者は、処理すべき順位を容易に判断できる。
【００２９】
また、報知画面Ｇ３における「ＸＸＸ号室」が「００４号室」であり、「００３号室」、「００４号室」、「００５号室」が続いて配置される病室である場合は、「００３号室」の間にある「００４号室」を経由して「００５号室」のナースコールに対応し、一覧表示される全てのナースコールを処理した場合の移動距離を短くするように、ナースコールを並び替えた報知画面Ｇ４が表示される。したがって、医療・介護従事者は、ナースコールを処理する際の移動距離（動線）がより短くなる処理順序を把握することができる。
【符号の説明】
【００３０】
１００…ナースコールシステム、１、１ａ、１ｂ…端末装置、２…サーバ装置、２０…通信部、２１…記憶部、２２…スケジューリング部、２３…報知部、２１０…ナースコールＤＢ、２１１…位置情報、Ｇ１、Ｇ２…表示画面、Ｇ３、Ｇ４…報知画面
【先行技術文献】
【特許文献】
【００３１】
【特許文献１】特開２０１０−２５８８６９公報
【図１】
0005337136.tif 000002
【図２】
0005337136.tif 000003
【図３】
0005337136.tif 000004
【図４】
0005337136.tif 000005